(57)【要約】【課題】進捗状況の管理に好適な付箋紙を提供する。【解決手段】付箋紙２は、裏面の一部に接着部が設けられ、複数枚が積層される。付箋紙２には、付箋紙２を切断可能にする少なくとも１本の切断部３Ａ，３Ｂにより複数の範囲に区分され、付箋紙２の表面に、切断部３Ａ，３Ｂにより区分される範囲別に進捗状況を表す文字または図形の少なくとも何れか一方による表記１０Ａ，１０Ｂ，１０ｃが印刷される。【選択図】図２
0003205504.tif 000002
【実用新案登録請求の範囲】
【請求項１】
裏面の一部に接着部が設けられ、複数枚が積層される付箋紙であって、
前記付箋紙を切断可能にする少なくとも１本の切断部により複数の範囲に区分され、前記付箋紙の表面に、前記切断部により区分される範囲別に進捗状況を表す表記が印刷されたことを特徴とする付箋紙。
【請求項２】
前記付箋紙に２本以上の切断部により３つ以上の範囲に区分され、進捗状況を表す表記が、３つ以上の範囲のそれぞれに対して進捗状況の順番に配列して印刷されたことを特徴とする請求項１記載の付箋紙。
【請求項３】
前記切断部により区分された前記付箋紙の前記接着部が設けられていない端部側の表面に、進捗状況を表す表記が印刷されていることを特徴とする請求項１記載の付箋紙。
【請求項４】
前記切断部により区分される範囲の少なくとも１つに期限を記入するための形式が印刷されていることを特徴とする請求項１乃至請求項３の何れかに記載の付箋紙。
【請求項５】
裏面の一部に接着部が設けられ、複数枚が積層される付箋紙であって、
前記付箋紙を切断可能にする少なくとも１本の第１切断部により複数の第１範囲に区分され、前記付箋紙の表面に、前記第１切断部により区分される第１範囲別に進捗状況を表す表記が印刷され、前記第１切断部により区分される複数の第１範囲をそれぞれ切断可能にする少なくとも１本の第２切断部により前記第１範囲がそれぞれ複数の第２範囲に区分されたことを特徴とする付箋紙。
【考案の詳細な説明】
【技術分野】
【０００１】
本考案は、進捗状況の管理に好適な付箋紙に関する。
【背景技術】
【０００２】
教科書などの書籍やノートに対して、注意すべき内容が記載された箇所などに貼り付けることができる付箋紙が利用されている。一般に、付箋紙は、矩形状に形成されており、長手方向の一端側において裏側の一部に接着部が設けられている。接着部は、接着／剥離を繰り返すことが可能な糊（接着材）が塗布されている。付箋紙は、複数枚が積層された状態で提供され、１枚ずつ剥がして使用される。
【０００３】
付箋紙は、学校や企業内など様々な場所で使用されており、例えば記事の見出しや、実行すべき作業内容を記入して、記入した内容を整理あるいは管理するために用いられる。近年では、一枚の付箋紙をミシン目により分割可能にして、複数の領域を絵図などにより相互に関連づけることで、一部の領域に説明を記述したり、他の場所に貼って整理・分類したりできるようにした付箋紙が考えられている（例えば、特許文献１）。
【先行技術文献】
【特許文献】
【０００４】
【特許文献１】実用新案登録第３１９６２２６号公報
【考案の概要】
【考案が解決しようとする課題】
【０００５】
従来では、整理・分類に好適な付箋紙が考えられているが、進捗状況を管理するために利用することには適していない。
【０００６】
本考案は前述した事情に考慮してなされたもので、その目的は、進捗状況の管理に好適な付箋紙を提供することにある。
【課題を解決するための手段】
【０００７】
上記の課題を解決するために、本考案の実施形態における付箋紙は、裏面の一部に接着部が設けられ、複数枚が積層される付箋紙であって、前記付箋紙を切断可能にする少なくとも１本の切断部により複数の範囲に区分され、前記付箋紙の表面に、前記切断部により区分される範囲別に進捗状況を表す表記が印刷されたことを特徴とする。
【考案の効果】
【０００８】
本考案によれば、進捗状況の管理に好適な付箋紙を提供することができる。
【図面の簡単な説明】
【０００９】
【図１】第１実施形態における付箋紙の一例を示す外観図。
【図２】第１実施形態における付箋紙の一例を示す図。
【図３】第１実施形態における付箋紙の使用例を示す図。
【図４】第２実施形態における付箋紙の一例を示す外観図。
【図５】第２実施形態における付箋紙の一例を示す図。
【図６】第２実施形態における付箋紙の使用例を示す図。
【図７】第３実施形態における付箋紙の一例を示す外観図。
【図８】第３実施形態における付箋紙の一例を示す図。
【考案を実施するための形態】
【００１０】
以下、図面を参照して本考案の実施の形態について説明する。  
（第１実施形態）
図１は、本考案の第１実施形態に係る付箋紙２の一例を示す外観図である。図１に示す付箋紙２は、例えば１つの台紙３に接着された状態で提供される。付箋紙２は、それぞれ一端側において裏側の一部に、接着／剥離を繰り返すことが可能な糊（接着材）が塗布された接着部が設けられており、複数枚が積層されている。付箋紙２は、最上部から１枚ずつ剥がして使用される。図１では、複数枚の付箋紙２が積層された二つの束が台紙３に接着された例を示している。
【００１１】
第１実施形態における付箋紙２の表面には、付箋紙２を切断可能にする少なくとも１本の切断部（例えば、ミシン目）により複数の範囲に区分され、付箋紙２の表面に、切断部により区分される範囲別に進捗状況を表す表記が印刷されている。
【００１２】
なお、図１では、同じサイズの付箋紙２の束を示しているが、異なるサイズの付箋紙２の束が台紙３に接着されていても良い。また、３種類以上の付箋紙が１つの台紙３に接着されていても良い。また、複数の付箋紙２は、それぞれの識別が容易となるように、異なる色、模様などが付されていても良い。
【００１３】
次に、第１実施形態における付箋紙２に付された印刷の具体例について説明する。  
図２（Ａ）（Ｂ）は、第１実施形態における付箋紙２の一例を示す図である。図２（Ａ）は、付箋紙２に対して記入される前の状態を示す図である。
【００１４】
図２（Ａ）に示すように、付箋紙２は、付箋紙２を切断可能にする少なくとも１本（図２（Ａ）では２本）の切断部３Ａ，３Ｂにより複数の範囲２Ａ，２Ｂ，２Ｃに区分される。２本の切断部３Ａ，３Ｂは、例えばミシン目により形成されており、例えば並行に形成されている。従って、付箋紙２は、切断部３Ａ，３Ｂにおいて切断することにより、範囲２Ａ，２Ｂ，２Ｃのそれぞれに対応する３枚の小付箋紙にすることができる。
【００１５】
図２（Ａ）に示す付箋紙２は、図中のＨ１に示す範囲の裏面に接着部が設けられている。すなわち、範囲２Ａ，２Ｂ，２Ｃに対応する３枚の小付箋紙のそれぞれに接着部が設けられている。このため、切断部３Ａ，３Ｂにおいて切断した後、小付箋紙を個別に付箋紙として使用して、接着／剥離を繰り返すことができる。
【００１６】
図２（Ａ）では、範囲２Ａが最もサイズが大きく、範囲２Ｂ，２Ｃが同一のサイズとなっている。なお、範囲２Ａが最もサイズが小さくても良いし、全ての範囲２Ａ，２Ｂ，２Ｃが同じサイズでも良いし、さらに３つ以上の異なるサイズが混在していても良い。
【００１７】
付箋紙２の表面には、切断部３Ａ，３Ｂにより区分される範囲２Ａ，２Ｂ，２Ｃ別に進捗状況を表す表記１０Ａ，１０Ｂ，１０Ｃが印刷される。表記としては、例えば文字または図形（マーク、イラスト、スタンプなどを含む）の少なくとも何れか一方が印刷される。図２（Ａ）に示す例では、範囲２Ａに対する表記１０Ａとして「ＧＯＡＬ」の文字、範囲２Ｂに対する表記１０Ｂとして「ＳＴＥＰ２」の文字と三角形、範囲２Ｃに対する表記１０Ｃとして「ＳＴＥＰ１」の文字と三角形が印刷されている。すなわち、付箋紙２に印刷される表記１０Ｃ，１０Ｂ，１０Ａの文字「ＳＴＥＰ１」「ＳＴＥＰ２」「ＧＯＡＬ」は、それぞれの範囲２Ｃ，２Ｂ，２Ａに対して進捗状況の順番に配列されている。また、範囲２Ｂ，２Ｃに印刷された表記１０Ｂ，１０Ｃの三角形は、進捗状況の順番を示す向き（図２では上方向）となるように配置されており、「ＳＴＥＰ１」の次が「ＳＴＥＰ２」、「ＳＴＥＰ２」の次が「ＧＯＡＬ」であることを表すようにしている。
【００１８】
図２（Ａ）に示す付箋紙２では、例えば、最上部にある範囲２Ａに文字「ＧＯＡＬ」を印刷して、範囲２Ａに対して例えば達成目標とする内容について記入すべきであることを示唆している。範囲２Ａの下にある範囲２Ｂ，２Ｃには「ＳＴＥＰ２」「ＳＴＥＰ１」の順番に印刷することで、範囲２Ｂに対して例えば目標を達成するために直前に実行すべき作業の内容について記入すべきであることを示唆し、範囲２Ｃに対して例えば範囲２Ｂに記入した作業の内容の前に実行すべき作業の内容について記入すべきであることを示唆している。
【００１９】
付箋紙２を使用するユーザは、最上位の範囲２Ａに達成目標とする内容について記入し、記入した目標に到達するために必要な作業の内容を、目標到達側から順番に範囲２Ｂ，２Ｃに記入することで、逆算式に目標到達までの作業手順（段取り）を作成することができる。例えば、目標を細分化し、細分化された小さな目標の達成を積み重ねながら最終目標に近づいていく、いわゆるスモールステップ方式でスケジュールを作ることができる。
【００２０】
また、付箋紙２には、文字等を記入し易くするために複数の罫線１４が紙面全体に印刷されている。さらに、付箋紙２の範囲２Ａ，２Ｂ，２Ｃのそれぞれには、期限を記入するための形式（フォーマット）として「月  日  時」の文字列１２Ａが印刷されている。すなわち、例えば範囲２Ａ，２Ｂ，２Ｃに記入した作業内容を完了する期限を、文字列１２Ａを利用して簡単に書き込むことができるようにしている。なお、図２（Ａ）に示す例では、期限を記入するための形式として「月  日  時」の文字列１２Ａとしているが、「年  月  日」、「時  分」など、その他の形式であっても良い。
【００２１】
図２（Ｂ）は、付箋紙２に対して手書きにより文字が記入された例を示している。図２（Ｂ）に示す例では、範囲２Ａに対して、目標「ＧＯＡＬ」として「３月１０日」までに「室長の退職パーティのセッティングを完了させる」ことが記入されている。また、目標に到達するためにすべき作業内容として、範囲２Ｂに対して、「ＳＴＥＰ２」として「２月１０日」までに「パーティ会場を予約する」ことが記入され、範囲２Ｃに対して、「ＳＴＥＰ１」として「２月１日１７時」までに「参加者をリストアップ。日程を仮確定する」ことが記入されている。
【００２２】
図２（Ｂ）に示すように目標や作業内容が記入された付箋紙２は、手帳、ノート、パーソナルコンピュータのディスプレイなどに貼り付けることができる。ユーザは、付箋紙２に記入された内容と期限を容易に確認しながら、「ＳＴＥＰ１」「ＳＴＥＰ２」として記入した作業を順番に進めることができる。また、範囲２Ｃに記入された「ＳＴＥＰ１」の作業を完了した場合、例えば図３に示すように、切断部３Ｂにより範囲２Ｃに対応する小付箋紙を切り離す。これにより、範囲２Ｃに記入した作業については完了し、次に「ＳＴＥＰ２」の作業を実行すべき状態にあることを認識することができる。すなわち、付箋紙２では、表記１０Ｃ，１０Ｂ，１０Ａの文字「ＳＴＥＰ１」「ＳＴＥＰ２」「ＧＯＡＬ」が進捗状況の順番に配列されているため、作業の完了に応じて順番に切り離していくことができる。従って、付箋紙２に記入した作業の進捗状況が一目で確認でき、進捗状況の管理を容易にすることができる。なお、切り離した小付箋紙は、付箋紙２とは別の場所に貼り付けることで、完了済みの作業のリストとして利用することができる。すなわち、切り離した小付箋紙によっても進捗状況の管理をすることが可能である。
【００２３】
なお、付箋紙２から切り離した小付箋紙を利用しない場合には、図２（Ａ）に示す範囲Ｈ２の裏面にのみ接着部を設けるようにしても良い。すなわち、付箋紙２は、範囲２Ｃの小付箋紙、範囲２Ｂの小付箋紙の順番で切り離されるため少なくとも最後まで貼り付けられる範囲２Ａの小付箋紙に接着部が設けられていれば良い。
【００２４】
このように、第１実施形態の付箋紙２によれば、付箋紙２を切断可能にする切断部３Ａ，３Ｂにより複数の範囲２Ａ，２Ｂ，２Ｃに区分され、付箋紙２の表面に切断部３Ａ，３Ｂにより区分される範囲２Ａ，２Ｂ，２Ｃ別に進捗状況を表す表記１０Ａ，１０Ｂ，１０Ｃ（文字または図形）が印刷されているため、進捗状況を表す表記に応じてそれぞれの範囲内に作業内容などを表す文字等を記入することで、進捗状況の管理に好適な付箋紙を作成することが可能となる。また、範囲２Ａ，２Ｂ，２Ｃに印刷される表記１０Ａ，１０Ｂ，１０ｃは、進捗状況の順番に配列されているため、例えば範囲２Ａ，２Ｂ，２Ｃに記入された作業を完了するのに合わせて順番に切り取っていくことができる。従って、付箋紙２に残っている範囲をもとに進捗状況を容易に把握することができる。
【００２５】
なお、前述した例では、２つの切断部３Ａ，３Ｂを設け、３つの範囲２Ａ，２Ｂ，２Ｃに区分された付箋紙２の例を示しているが、切断部を３つ以上にすることも可能である。また、複数の切断部３Ａ，３Ｂを並行に設けているが、並行でなくても良い。また、複数の切断部を互いに交差するように設けることで、切断部により切り離す範囲の形状を任意に変形させることができる。
【００２６】
（第２実施形態）
図４は、本考案の第２実施形態に係る付箋紙４，６の一例を示す外観図である。図４に示す付箋紙４，６は、例えば１つの台紙３に接着された状態で提供される。付箋紙４，６は、それぞれ一端側において裏側の一部に接着部が設けられており、複数枚が積層されている。付箋紙４，６は、最上部から１枚ずつ剥がして使用される。図２では、複数枚の付箋紙４，６が積層された四つの束が台紙３に接着された例を示している。
【００２７】
第２実施形態における付箋紙４，６の表面には、付箋紙２を切断可能にする少なくとも１本の切断部（例えば、ミシン目）により複数の範囲に区分され、切断部により区分された付箋紙４，６の接着部が設けられていない端部側の表面に、進捗状況を表す表記が印刷されている。付箋紙４と付箋紙６は、表面に印刷される表記が異なっている。
【００２８】
なお、図４では、同じサイズの付箋紙４，６の束を示しているが、異なるサイズの付箋紙４，６の束が台紙３に接着されていても良い。また、３種類以上の付箋紙が１つの台紙３に接着されていても良い。また、複数の付箋紙４，６は、それぞれの識別が容易となるように、異なる色、模様などが付されていても良い。
【００２９】
次に、第２実施形態における付箋紙４，６に付された印刷の具体例について説明する。  
図５（Ａ１）（Ａ２）は、第２実施形態における付箋紙４，６の一例を示す図である。図５（Ａ１）（Ａ２）は、付箋紙４，６に対して記入される前の状態を示す図である。
【００３０】
まず、図５（Ａ１）に示す付箋紙４について説明する。図５（Ａ１）に示すように、付箋紙４は、付箋紙４を切断可能にする少なくとも１本（図５（Ａ１）では１本）の切断部５Ａにより複数の範囲４Ａ，４Ｂに区分される。１本の切断部５Ａは、例えばミシン目により形成されている。従って、付箋紙４は、切断部５Ａにおいて切断することにより、範囲４Ｂに対応する小付箋紙と範囲４Ａに対応する小紙片に分離することができる。
【００３１】
図５（Ａ１）に示す付箋紙４は、図中のＨ３に示す範囲の裏面に接着部が設けられている。すなわち、範囲４Ｂに対応する小付箋紙に接着部が設けられている。このため、切断部５Ａにおいて切断した後、小付箋紙を個別に付箋紙として使用して、接着／剥離を繰り返すことができる。
【００３２】
なお、図５（Ａ１）に示す付箋紙４では、１本の切断部５Ａにより２つの範囲４Ａ，４Ｂに区分しているが、２本の切断部を設けて３つの範囲に区分するように構成しても良い。この場合、１つの小付箋紙と、２つの小紙片に分離できようにする。
【００３３】
付箋紙４の接着部Ｈ３が設けられていない端部側の表面には、切断部５Ａにより区分される範囲４Ａに進捗状況を表す表記２０Ａが印刷される。表記としては、例えば文字または図形（マーク、イラスト、スタンプなどを含む）の少なくとも何れか一方が印刷される。図５（Ａ１）に示す例では、範囲４Ａに対する表記２０Ａとして「ＴＯＤＯ」の文字と「！」を含む図形が印刷される。表記２０Ａは、例えば範囲４Ｂに記入された作業内容について未完（実行すべき）であることを表している。表記２０Ａの内容については、図５に示す形態以外であっても良い。
【００３４】
図５（Ａ１）に示す付箋紙４では、範囲４Ｂに対して、例えば実行すべき作業内容が記入される。付箋紙４は、範囲４Ｂに記入された作業内容が完了した場合に、切断部５Ａにより範囲４Ａを切断するように使用する。これにより、付箋紙４に範囲４Ａが付いたままである場合には作業が未完の状態であり、範囲４Ａが切断されていれば作業完了を表す。これにより、付箋紙４の形状（範囲４Ａの有無）に基づいて、範囲４Ｂに記入された作業内容についての進捗状況を容易に管理することができる。
【００３５】
また、付箋紙４には、文字等を記入し易くするために複数の罫線２４が紙面全体に印刷されている。さらに、付箋紙４の範囲４Ｂには、期限を記入するための形式（フォーマット）として「月  日  時」の文字列２２Ａが印刷されている。すなわち、例えば範囲４Ｂに記入した作業内容を完了する期限を、文字列２２Ａを利用して簡単に書き込むことができるようにしている。なお、図５（Ａ１）に示す例では、期限を記入するための形式として「月  日  時」の文字列２２Ａとしているが、「年  月  日」、「時  分」など、その他の形式であっても良い。
【００３６】
図５（Ｂ１）は、付箋紙４に対して手書きにより文字が記入された例を示している。図５（Ｂ１）に示す例では、範囲４Ｂに対して、実行すべき作業内容として「４月１３日１０時までに」、「Ａプロジェクトの打合せ調整」が記入されている。
【００３７】
図５（Ｂ１）に示すように作業内容が記入された付箋紙４は、手帳、ノート、パーソナルコンピュータのディスプレイなどに貼り付けることができる。ユーザは、付箋紙４に記入された内容と期限を容易に確認しながら、期限に間に合うように作業を進めることができる。また、範囲４Ｂに記入された作業を完了した場合には、例えば図６に示すように、切断部５Ａにより範囲２０Ａに対応する小紙片４２を切り離す。これにより、小付箋紙４１の範囲４Ｂに記入した作業については完了したことを認識することができる。なお、範囲２０Ａに対応する小紙片４１を切り離された範囲４Ｂの小付箋紙４１は、そのまま貼り付けて残すことができる。すなわち、小付箋紙４１を残すことにより完了済みの作業内容を記録することになり進捗状況の管理をすることが可能となる。
【００３８】
また、前述した図５（Ａ１）に示す付箋紙４では、１本の切断部５Ａにより２つの範囲４Ａ，４Ｂに区分しているが、２本以上の切断部を設けて３つの以上の範囲に区分するように構成しても良い。例えば、２本の切断部を設けて、１つの小付箋紙と２つの小紙片に対応する範囲に区分することで、例えば、小付箋紙に２つの作業内容を記入し、１つの作業が完了する毎に順番に１枚ずつ小紙片を切断できようにする。これにより、１枚の付箋紙４について複数段階で進捗状況を管理することが可能である。
【００３９】
このように、第２実施形態の付箋紙４によれば、付箋紙４を切断可能にする切断部５Ａにより複数の範囲４Ａ，４Ｂに区分され、付箋紙４の表面に切断部５Ａにより区分される範囲４Ａに進捗状況を表す表記２０Ａが印刷されている。そして、作業完了後に切断部５Ａにより範囲４Ａを切り離すことで進捗状況を容易に管理することができる。
【００４０】
次に、図５（Ａ２）に示す付箋紙６について説明する。付箋紙６は、付箋紙４の表面に印刷される形態の一部が異なるもので、その他の構成については付箋紙４と同じものとして詳細な説明を省略する。図５（Ａ２）に示すように、付箋紙６は、切断部７Ａにより複数の範囲６Ａ，６Ｂに区分され、範囲６Ｂに対応する小付箋紙と範囲６Ａに対応する小紙片に分離することができる。
【００４１】
付箋紙６は、図中のＨ４に示す範囲の裏面に接着部が設けられている。付箋紙６の接着部Ｈ４が設けられていない端部側の表面には、切断部６Ａにより区分される範囲６Ａに進捗状況を表す表記３０Ａが印刷される。また、付箋紙６には、複数の罫線３４が紙面全体に印刷される。さらに、付箋紙６の範囲６Ｂには、期限を記入するための形式（フォーマット）として「月  日  時」の文字列３２Ａが印刷される他、連絡先（例えば電話番号）を記入するための形式として「ＴＥＬ：」の文字列３２Ｂが印刷されている。「ＴＥＬ：」の文字列３２Ｂが予め印刷されていることで、範囲６Ｂへの連絡先の記入が容易となる。なお、範囲６Ｂでは、期限と連絡先を記入するための形式が印刷されているが、その他の記入すべき内容を示す印刷がされていても良い。例えば、メールアドレス、部署名、記入日時などについて記入し易くするための形式が印刷されていても良い。
【００４２】
（第３実施形態）  
図７は、本考案の第３実施形態に係る付箋紙８の一例を示す外観図である。第３実施形態の付箋紙８は、第１実施形態の付箋紙２と第２実施形態の付箋紙４とを組み合わせた構成を有している。よって、第１及び第２実施形態と共通する部分の説明については省略する。付箋紙８は、付箋紙８を切断可能にする少なくとも１本（図７では５本）の切断部により例えば６枚分の小付箋紙から構成されて、台紙３に貼り付けられている。そして、例えば４工程の作業をする場合に、ユーザは、図８（Ａ）に示すように、４枚分の小付箋紙を含む範囲を切り取って付箋紙８として使用することができる。
【００４３】
図８（Ａ）に示すように、４枚分の小付箋紙を含む範囲を切り取った付箋紙８は、付箋紙８を切断可能にする３本の切断部８Ｂ，８Ｃ，８Ｄにより複数の範囲８１，８２，８３，８４に区分される。３本の切断部８Ｂ，８Ｃ，８Ｄは、例えば並行に形成されており、範囲８１，８２，８３，８４のそれぞれに対応する４枚の小付箋紙にすることができる。範囲８１，８２，８３，８４に対応する４枚の小付箋紙からなる構成は、第１実施形態の付箋紙２に相当する。
【００４４】
また、付箋紙８は、付箋紙８を切断可能にする、切断部８Ｂ，８Ｃ，８Ｄと交差する少なくとも１本（図８（Ａ）では１本）の切断部８Ａが設けられている。付箋紙８は、切断部８Ａにより、複数の範囲８１，８２，８３，８４のそれぞれに対応する４枚の小付箋紙がそれぞれ２つに区分される。例えば、範囲８１に対応する小付箋紙は、小付箋紙８１ａと紙片８１ｂに区分される。同様にして、範囲８２，８３，８４に対応する小付箋紙は、それぞれ小付箋紙８２ａ，８３ａ，８４ａと紙片８２ｂ，８３ｂ，８４ｂに区分される。１つの範囲８１，８２，８３，８４に対応する小付箋紙は、それぞれ第２実施形態の付箋紙４に相当する。
【００４５】
小付箋紙８１〜８４には、期限を記入するための形式（フォーマット）として「月  日  時」の文字列８６が印刷され、進捗状況を表す表記８５として「ステップ」の文字列が印刷されている。付箋紙８では、第１実施形態の付箋紙２のようにステップ数が予め決められていない。付箋紙８は、ユーザが必要とするステップ数に応じた小付箋紙を含む範囲を切り取って使用できるため、「ステップ」の文字列に合わせて、ユーザが任意にステップ数を示す数字などを記入できるようにしている。こうして、第３実施形態の付箋紙８では、ユーザが必要とする任意の工程数の作業手順（段取り）を作成することができる。
【００４６】
紙片８１ｂ，８２ｂ，８３ｂ，８４ｂには、進捗状況を表す表記８７として、例えば文字または図形（マーク、イラスト、スタンプなどを含む）の少なくとも何れか一方が印刷される。図８（Ａ）では、範囲８１ａ〜８４ａに記入された作業内容について未完（実行すべき）であることを表す文字「未」を含む図形が印刷されている。
【００４７】
図８（Ｂ）は、付箋紙８に対して手書きにより文字が記入された例を示している。また、図８（Ｂ）では、実行すべき３つのステップの作業がそれぞれの範囲８１ａ〜８３ａに記入され、達成目標とする内容が範囲８４ａに記入されている。また、図８（Ｂ）の例では、ステップ２の作業がステップ１の作業より前に完了したことにより、ステップ２に対応する範囲８２ｂに対応する紙片８２ｂが切り取られている。こうして、付箋紙８では、予め作成した目標到達までの作業手順（段取り）の通りに作業が完了しない場合でも、小付箋紙毎に紙片を切り取ることで作業完了を管理することができので、進捗状況の管理を容易にすることが可能となる。
【符号の説明】
【００４８】
２，４，６，８…付箋紙、３…台紙、１０Ａ，１０Ｂ，１０Ｃ，２０Ａ，３０Ａ，８７…表記。
【図１】
0003205504.tif 000003
【図２】
0003205504.tif 000004
【図３】
0003205504.tif 000005
【図４】
0003205504.tif 000006
【図５】
0003205504.tif 000007
【図６】
0003205504.tif 000008
【図７】
0003205504.tif 000009
【図８】
0003205504.tif 000010